(57)【要約】【課題】携帯装置及びこの携帯装置を利用してリモコンを操作する方法を提供する。【解決手段】本発明の携帯装置は、検測器、制御器、リモコンモジュール、送信ユニット、感知器を備える。検測器はユーザがタッチパネルを操作して節電リモコンパターンを作動したかどうかを検測し、且つ節電リモコンパターンの作動を検測した場合、節電リモコン信号を生成し、制御器は節電リモコン信号によって、背光モジュールをオフにして、携帯装置を節電リモコンパターンにし、検測器は、ユーザがタッチバパネルを操作したかどうかを検測し、且つ操作を検測した場合、検測信号が生成され、ユーザが予備リモコン操作を行ったかどうかを判断し、且つ予備リモコン操作を行ったと判断された場合、リモコン指令を生成し、送信ユニットは該リモコン指令を家電に送信し、且つ家電の操作を制御する。【選択図】図７
2014116935.tif 000002
【特許請求の範囲】
【請求項１】
家電を操作し、タッチパネル及び背光モジュールを備え、前記タッチパネルはユーザのタッチを感知し、且つ画像を表示し、前記背光モジュールは前記タッチパネルに必要とする光源を提供する携帯装置において、
前記携帯装置は、更に検測器、制御器、リモコンモジュール、送信ユニット、感知器を備え、前記検測器は、ユーザが前記タッチパネルを操作して節電リモコンモードを作動したかどうかを検測し、且つ節電リモコンモードの作動を検測した際、節電リモコン信号を生成し、前記制御器は前記節電リモコン信号によって、前記背光モジュールをオンにして、前記携帯装置を節電リモコンモードにし、節電リモコンモードの状態下、前記検測器は、ユーザが前記タッチパネルを操作したかどうかを検測し、且つ操作を検測した場合、検測信号を生成し、前記リモコンモジュールは前記検測信号によって、ユーザが予備リモコン操作を行ったかどうかを判断し、且つ前記操作が予備リモコン操作と判断された場合、リモコン指令を生成し、前記送信ユニットは前記リモコン指令を前記家電に送信し、且つ前記家電の操作を制御することを特徴とする携帯装置。
【請求項２】
前記リモコンモジュールは、指令生成ユニット及び記憶ユニットを備え、前記記憶ユニットは、複数の予備操作指令及び各予備操作指令に対応する複数の予備リモコン操作が保存されており、前記指令生成ユニットはユーザの操作が前記予備リモコン操作を行ったかどうかを判断し、且つユーザの操作が前記予備リモコン操作を行ったと判断した場合、対応する操作指令を生成することを特徴とする請求項１に記載の携帯装置。
【請求項３】
前記携帯装置は、更に感知器を備え、前記感知器は、前記携帯装置が作動するかどうかを感知し、前記節電リモコンモードの状態下、前記検測器は前記感知器が前記携帯装置の作動を感知したかどうかを検測し、前記携帯装置の作動を検測した場合、検測信号が生成され、前記リモコンモジュールは、前記検測信号によって前記携帯装置の作動が前記予備リモコン操作であるかどうか判断し、且つ前記携帯装置の作動が前記予備リモコン操作であると判断した場合、対応する操作指令を生成することを特徴とする請求項１に記載の携帯装置。
【請求項４】
携帯装置中で実行され、且つ家電を制御し、前記携帯装置はタッチパネル及び背光モジュールを備え、前記タッチパネルはユーザのタッチを感知し、且つ画像を表示し、前記背光モジュールは前記タッチパネルに必要とする光源を提供するリモコン操作方法において、
前記リモコン操作方法は、節電リモコンモードアイコンを表示して、ユーザによって前記節電リモコンモードアイコンが選択されたかどうかを判断し、
前記節電リモコンモードアイコンが選択されたと判断した場合、前記背光モジュールをオフし、
ユーザが前記タッチパネルを操作して、予備リモコン操作を行ったかどうかを判断し、
ユーザが前記タッチパネルによって予備リモコン操作を行なったことを検測した場合、対応する操作指令が生成され、
該操作指令を前記家電に送信して、前記家電を制御して対応する機能を実行することを特徴とするリモコン操作方法。
【請求項５】
ユーザが前記タッチパネルを操作して、予備リモコン操作を行なったかどうかを判断するステップにおいて、
複数の予備操作指令及び各予備操作指令に対応する複数のリモコン操作を提供し、
ユーザがタッチパネルを操作したかどうかを判断し、
ユーザがタッチパネルを操作したことを判断した場合、ユーザの操作が予備リモコン操作であるかどうかを判断するステップを備えることを特徴とする請求項４に記載のリモコン操作方法。
【請求項６】
前記携帯装置は更に感知器を備え、前記感知器は前記携帯装置が作動するかどうかを感知し、前記背光モジュールがオフされた後のステップにおいて、
前記感知器は前記携帯装置が作動されたかどうかを感知し、
前記携帯装置が作動を感知した場合、前記携帯装置の作動が予備リモコン操作であるかどうかを判断し、
前記携帯装置の作動が予備リモコン操作であると判断した場合、対応する指令を生成するステップを備えることを特徴とする請求項４に記載のリモコン操作方法。
【発明の詳細な説明】
【技術分野】
【０００１】
本発明は、携帯装置に関し、特に携帯装置及びこの携帯装置を利用してリモコンの操作を行う方法に関するものである。
【背景技術】
【０００２】
現在、テレビは一般家庭に普及している家電と言える。テレビは、テレビに対応するリモコンによって操作される。しかし、テレビのリモコンは、テレビのみにしか使用することができない。しかし、近年、携帯装置（例えば、携帯電話、ＰＤＡ等）の発展に伴い、携帯装置もリモコンの機能を持つようになり、ユーザは、携帯装置のタッチパネルにテレビの操作アイコンを表示させることによって、テレビの操作アイコンをタッチして、テレビを操作することができるようになった。従って、テレビ専用のリモコンを別途用意しなくて良いため、資源を節約することができる。しかし、携帯装置のタッチパネルにテレビの操作アイコンを度々表示させることで、頻繁に携帯装置のバッテリが消耗するため、常に携帯装置を充電しなければならない。
【発明の概要】
【発明が解決しようとする課題】
【０００３】
以上の問題点に鑑みて、本発明は、家電を操作し、且つ節電することができる携帯装置及びこの携帯装置を利用してリモコンの操作を行う方法を提供することを目的とする。
【課題を解決するための手段】
【０００４】
上記の課題を解決するために、本発明の携帯装置は、家電を操作し、タッチパネル及び背光モジュールを備える。前記タッチパネルは、ユーザのタッチを感知し、且つ画像を表示し、前記背光モジュールは前記タッチパネルに必要とする光源を提供する携帯装置において、前記携帯装置は、更に検測器、制御器、リモコンモジュール、送信ユニット、感知器を備え、前記検測器は、ユーザが前記タッチパネルを操作して節電リモコンモードを作動したかどうかを検測し、且つ節電リモコンモードの作動を検測した際、節電リモコン信号を生成し、前記制御器は前記節電リモコン信号によって、前記背光モジュールをオンにして、前記携帯装置を節電リモコンモードにし、節電リモコンモードの状態下、前記検測器は、ユーザが前記タッチパネルを操作したかどうかを検測し、且つ操作を検測した場合、検測信号を生成し、前記リモコンモジュールは前記検測信号によって、ユーザが予備リモコン操作を行ったかどうかを判断し、且つ前記操作が予備リモコン操作と判断された場合、リモコン指令を生成し、前記送信ユニットは前記リモコン指令を前記家電に送信し、且つ前記家電の操作を制御する
【０００５】
上記の課題を解決するために、本発明のリモコン操作方法は、携帯装置中で実行され、且つ家電を制御し、前記携帯装置はタッチパネル及び背光モジュールを備える。前記タッチパネルはユーザのタッチを感知し、且つ画像を表示し、前記背光モジュールは前記タッチパネルに必要とする光源を提供するリモコン操作方法において、前記リモコン操作方法は、節電リモコンモードアイコンを表示して、ユーザによって前記節電リモコンモードアイコンが選択されたかどうかを判断し前記節電リモコンモードアイコンが選択されたと判断した場合、前記背光モジュールをオフし、ユーザが前記タッチパネルを操作して、予備リモコン操作を行ったかどうかを判断し、ユーザが前記タッチパネルによって予備リモコン操作を行なったことを検測した場合、対応する操作指令が生成され、該操作指令を前記家電に送信して、前記家電を制御して対応する機能を実行する。
【発明の効果】
【０００６】
本発明の携帯装置とこの携帯装置を利用してリモコンの操作を行う方法は、背光モジュールがオンの状態でテレビを操作することができるので、節電効果を有し、携帯装置のバッテリの寿命を長くすることができる。また、携帯装置とこの携帯装置を利用してリモコンの操作を行う方法は、ユーザのタッチ或いは作動によって対応する操作を行うので操作が早い。
【図面の簡単な説明】
【０００７】
【図１】本発明に係る携帯装置の使用状態を示す図である。
【図２】図１に示した携帯装置の機能モジュールを示す図である。
【図３】図１に示した携帯装置のメイン画面を示す図である。
【図４】図２に示した携帯装置の別の機能モジュールを示す図である。
【図５】図４に示した携帯装置が提供した操作命令とこの操作命令に対応するユーザの操作を示す図である。
【図６】携帯装置が提供したテレビの操作アイコンを示す図である。
【図７】本発明に係る携帯装置の操作方法の流れ図である。
【発明を実施するための形態】
【０００８】
以下、図面に基づいて、本発明に係る携帯装置及びこの携帯装置を利用してリモコンの操作を行う方法について詳細に説明する。図１に示したように、携帯装置１００は、家電２００を操作する。携帯装置１００は、携帯電話、ＰＤＡ、タブレット等である。家電２００は、テレビ、エアコン、冷蔵庫等である。本実施形態において、携帯装置１００は、携帯電話であり、家電２００はテレビである。携帯電話１００とテレビ２００との間は、赤外線通信、ＷＩ−ＦＩ（登録商標）、無線周波数通信によって通信する。
【０００９】
図２に示したように、携帯装置１００は、タッチパネル１０、背光モジュール２０、検測器４０、制御器３０、リモコンモジュール６０、複数の機能モジュール５０、送信ユニット７０、感知器８０を備える。タッチパネル１０は、ユーザのタッチを感知して、対応する画像を表示する。本実施形態において、携帯装置１００が作動すると、制御器３００はシステムメニュー３００を提供する。これにより、システムメニュー３００は、タッチパネル１０上（図３を参照）に表示される。システムメニュー３００は、操作画像３０１、複数の機能画像３０２を備え、ユーザのタッチによって作動する。感知器８０は、携帯装置１００の移動を感知する。
【００１０】
背光モジュール２０は、タッチパネル１０が必要とする光源を提供する。
【００１１】
検測器４０は、ユーザの操作によって生成されたタッチ信号を検測する。例えば、検測器４０は、ユーザのタッチパネル１０に対するタッチ操作、毎回タッチした時間、複数回タッチした際の各タッチ間の時間、スライド操作に対応するスライド軌跡を検測する。また、検測器４０は感知器８０が携帯装置１００の作動を感知したかどうかを検測する。本実施形態において、ユーザの指がタッチパネル１０の操作画像３０１をタッチしてリモコンモードが作動したことを検測器４０が検測すると、検測器４０はリモコン信号を生成する。ユーザの指がタッチパネル１０の操作画像３０１以外のいずれか１つの機能画像３０２の第一タッチ操作をタッチした際、検測器４０はこれに対応する第一タッチ信号を生成する。
【００１２】
制御器３０は、リモコン信号によって、リモコンモジュール６０を作動させて、携帯電話１００をテレビ２００を操作するリモコンモードに切り替えさせる。また、制御器３０は、第一タッチ信号によって、対応する機能モジュール５０を作動させて、携帯電話１００を、通話、メール送信、音楽の再生、計算機等の機能を有する仕事モードに切り替えることもできる。
【００１３】
図４に示したように、リモコンモジュール６０は、ＵＩプロバイダ６１、指令生成ユニット６２、判断ユニット６３、記憶ユニット６４を備える。記憶ユニット６４は、複数の予備操作指令及び各予備操作指令に対応する複数の予備リモコン操作が保存されている（図５を参照）。
【００１４】
図６に示したように、ＵＩプロバイダ６１は、第一タッチ信号によって、テレビメインメニュー６００を提供し、且つタッチパネル１０にこのテレビメインメニュー６００を表示する。テレビメインメニュー６００は、複数のテレビメニューアイコン６０１及び節電リモコンモードアイコン６０２を備える。検測器４０は、ユーザが節電リモコンモードアイコン６０２をタッチして、節電モードの操作が作動したかどうかを検測する。検測器４０が節電モードの操作が作動したことを検測すると、節電信号を生成する。また、検測器４０は、ユーザが複数のテレビメニューアイコン６０１の中の何れか１つのテレビメニューアイコン６０１の第二タッチ操作をタッチしたことを検測すると、第二タッチ信号を生成する。
【００１５】
制御器３０は、節電信号によって、背光モジュール２０をオフする。これにより、携帯装置１００は節電モードになる。指令生成ユニット６２は、第二タッチ信号によって、対応する操作命令を生成し、且つこの操作命令を送信ユニット７０を介してテレビ２００に送信する。これにより、テレビ２００は対応する機能を実行する。
【００１６】
節電モードの状態下、検測器４０はユーザによって携帯装置１００が操作されたかどうかを検測する。例えば、ユーザがタッチパネル１０をタッチして、携帯装置１００を作動させると、この際対応して生成された信号を検測する。指令生成ユニット６２は、検測した信号によって、検測した操作が記憶ユニット６４に保存されている予備のリモコン操作であるかどうかを判断し、且つ検測したユーザの操作をリモコン操作として設定し、対応する信号を生成し、且つ該信号を送信ユニット７０を介してテレビ２００に送信する。これにより、テレビ２００は対応する機能を実行する。本実施形態において、検測器４０はユーザがタッチパネル１０をタッチしたことを検測し、且つそのタッチ時間が２秒になると、指令生成ユニット６２は電源のオン或いはオフ指令を生成し、該指令によってテレビ２００をオフする或いはオンする。また、検測器４０は、ユーザの指がタッチパネル１０をタッチしたままの状態で、上方或いは下方にスライドさせたことを検測した場合、指令生成ユニット６２は、チャンネルに１を加えるか或いは１を減らす指令を生成し、テレビ２００を制御して前のチャンネル或いは次／後のチャンネルに切り替える。検測器４０がユーザの指がタッチパネル１０をタッチしたままの状態で、左或いは右にスライドさせたことを検測した場合、指令生成ユニット６２は、音量に１を加えるか或いは１を減らす指令を生成し、テレビ２００を制御して音量を大きくする或いは小さくする。検測器４０が携帯装置１００が作動したことを検測し、且つユーザがタッチパネル１０に数字を書いた後、ユーザの指が５秒間タッチパネルに接触している或いは指がタッチパネル１０から離れた後５秒間経つと、指令生成ユニット６２は、ユーザが書いた数字によって対応するチャンネル番号の指令を生成し、テレビ２００を制御して対応するチャンネルに切り換える。つまり、指令生成ユニット６２は、検測器４０及び記憶ユニット６４に保存されている予備操作指令及びリモコン操作によって対応する指令を生成し、且つ該指令によってテレビ２００を制御する。検測器４０が、ユーザの指がタッチパネル１０をタッチしたままの状態で、左或いは右にスライドしたことを検測すると、指令生成ユニット６２は音量に１を加えるか或いは１を減らす指令を生成し、テレビ２００を制御して音量を大きくする或いは小さくする。また、本発明は、上述した予備のリモコン操作に限定されず、ユーザの必要に応じて他のリモコン操作を行うこともできる。
【００１７】
図７に示したように、携帯装置は、背光モジュール、タッチパネル、感知器を備える。タッチパネルは、ユーザのタッチを感知して、画像を表示する。背光モジュールは、タッチパネルに必要とする光源を提供する。感知器は、携帯装置が作動したかどうかを感知する。
【００１８】
リモコン操作方法は、以下のステップ（Ｓ７００〜Ｓ７０８）を備える。ステップＳ７００において、予備操作指令及び各予備操作指令に対応する複数のリモコン操作を提供する。予備操作指令及び各予備操作指令に対応する複数のリモコン操作は、ユーザの必要に応じて設定するか或いは携帯装置を製造する際に既に設定されている。図５に示したように、各操作指令は、各予備リモコン操作と対応する。
【００１９】
ステップＳ７０１において、背光モジュールを作動させてタッチパネルを明るくし、次いで、ＵＩプロバイダのタッチパネルに機能画像を表示させる。
【００２０】
ステップＳ７０２において、ユーザがリモコン機能画像をタッチしたかどうかを判断する。
【００２１】
ステップＳ７０３において、ユーザによってリモコン機能画像のタッチが検測された場合、テレビメニューアイコン及び節電リモコンモードアイコンが表示されて、リモコン操作モードになる。
【００２２】
ステップＳ７０４において、ユーザが節電リモコンモードアイコンを作動したかどうかを判断する。
【００２３】
ステップＳ７０５において、ユーザによって節電リモコンモードアイコンの作動が検測された場合、背光モジュールはオフになり、節電モードになる。
【００２４】
ステップＳ７０６において、ユーザがタッチパネルを操作したかどうかを判断する。
【００２５】
ステップＳ７０７において、ユーザがタッチパネルを操作したことを検測すると、検測した操作が予備リモコン操作であるかどうかを判断する。
【００２６】
ステップＳ７０８において、検測した操作が予備リモコン操作であることを検測した場合、対応する操作指令が生成され、テレビを制御して対応する機能を実行する。
【００２７】
本発明の携帯装置１００とこの携帯装置１００を利用してリモコンの操作を行う方法は、背光モジュールがオンの状態でテレビを操作することができるので、節電効果を有し、携帯装置１００のバッテリの寿命を長くすることができる。また、携帯装置１００とこの携帯装置１００を利用してリモコンの操作を行う方法は、ユーザのタッチ或いは作動によって対応する操作を行うので操作が早い。
【符号の説明】
【００２８】
１００  携帯装置
２００  家電
１０  タッチパネル
２０  背光モジュール
３０  制御器
４０  検測器
５０  機能モジュール
６０  リモコンモジュール
６１  ＵＩプロバイダ
６２  指令生成ユニット
６３  判断ユニット
６４  記憶ユニット
７０  送信ユニット
８０  感知器
３００  システムメニュー
３０１  操作画像
３０２  機能画像
６００  テレビメインメニュー
６０１  テレビメニューアイコン
６０２  節電リモコンモードアイコン
【図１】
2014116935.tif 000003
【図２】
2014116935.tif 000004
【図３】
2014116935.tif 000005
【図４】
2014116935.tif 000006
【図５】
2014116935.tif 000007
【図６】
2014116935.tif 000008
【図７】
2014116935.tif 000009